【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】
遊技客が遊技の結果獲得した景品玉に基づく利益を遊技客に還元する景品交換システムにおいて、
所定の口座に対応付けられた金融カードとしての機能を備えた情報記録媒体であって遊技客の有するものにまたはこれに対応付けて、遊技客の獲得した遊技媒体の計数結果である景品玉数を前記口座の資金として利用可能かつ遊技機店別に登録するとともに、遊技機店別に登録されている景品玉数を口座の資金として利用する際に各遊技機店に対応付けられた景品玉数を所定の優先順位に従って換金する
ことを特徴とする景品交換システム。
【請求項２】
遊技機店に設置された遊技機で使用する遊技媒体の遊技客への貸出しと遊技客が遊技の結果獲得した景品玉の数を管理するとともに景品玉に基づく利益を遊技客に還元する景品交換システムにおいて、
景品交換装置と、決済管理装置とを備え、
前記景品交換装置は、所定の口座に対応付けられた金融カードとしての機能を備えた情報記録媒体であって遊技客の有するものから読み取ったカード番号と遊技客の獲得した遊技媒体を計数した結果である景品玉数と遊技機店の識別コードとを前記決済管理装置に通知するものであり、
前記決済管理装置は、前記景品交換装置から通知された情報に基づいてカード番号別かつ識別コード別に景品玉数を記憶して管理する景品玉数管理機能と、所定のカード番号に対応する口座の資金を支出するとき、当該カード番号に対応付けて識別コード別に登録されている景品玉数を所定の優先順位に従って換金する換金機能とを有するものである
ことを特徴とする景品交換システム。
【請求項３】
前記優先順位を遊技客毎に登録可能とした
ことを特徴とする請求項１または２に記載の景品交換システム。
【請求項４】
前記優先順位を、未だ資金として利用されていない遊技機店別の残り景品玉数に基づいて設定する
ことを特徴とする請求項１または２に記載の景品交換システム。
【請求項５】
遊技機店別に換金率を記憶しておき、
前記優先順位を、遊技機店毎の換金率に基づいて設定する
ことを特徴とする請求項１または２に記載の景品交換システム。
【請求項６】
前記優先順位を、景品玉数の最終加算日時に基づいて設定する
ことを特徴とする請求項１または２に記載の景品交換システム。
【請求項７】
前記情報記録媒体を用いて遊技媒体を貸し出す際に、前記情報記録媒体に対応する口座の資金に優先して前記景品玉数を使って遊技媒体を貸し出す
ことを特徴とする請求項１から６の何れかに記載の景品交換システム。
【請求項８】
所定の識別コードに対応付けて登録されている景品玉数を換金した分の金額を前記識別コードに対応する遊技機店の指定口座から引き落して精算する
ことを特徴とする請求項１から７の何れかに記載の景品交換システム。
【請求項９】
前記金融カードとしての機能が、利用金額を所定の口座から決済するための決済カードとしての機能であり、前記情報記録媒体にまたはこれに対応付けて、遊技客の獲得した遊技媒体の計数結果である景品玉数を前記決済に使用し得る有価価値として利用可能に登録し、
前記決済は、即時決済または与信決済の何れか一方または双方にて決済可能である
ことを特徴とする請求項１から８の何れかに記載の景品交換システム。
【請求項１０】
遊技媒体の貸出情報を、第１の管理機関に通知し、
前記情報記録媒体の利用状況を管理する第２の管理機関に前記景品玉数を通知する
ことを特徴とする請求項１から９の何れかに記載の景品交換システム。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
【課題を解決するための手段】
かかる目的を達成するための本発明の要旨とするところは、次の各項の発明に存する。
［１］遊技客が遊技の結果獲得した景品玉に基づく利益を遊技客に還元する景品交換システムにおいて、
所定の口座に対応付けられた金融カードとしての機能を備えた情報記録媒体（１８２）であって遊技客の有するものにまたはこれに対応付けて、遊技客の獲得した遊技媒体の計数結果である景品玉数を前記口座の資金として利用可能かつ遊技機店別に登録するとともに、遊技機店別に登録されている景品玉数を口座の資金として利用する際に各遊技機店に対応付けられた景品玉数を所定の優先順位に従って換金する
ことを特徴とする景品交換システム。
【手続補正４】
【補正対象書類名】明細書
【補正対象項目名】０００７
【補正方法】変更
【補正の内容】
【０００７】
［２］遊技機店に設置された遊技機で使用する遊技媒体の遊技客への貸出しと遊技客が遊技の結果獲得した景品玉の数を管理するとともに景品玉に基づく利益を遊技客に還元する景品交換システムにおいて、
景品交換装置（２００）と、決済管理装置（３１）とを備え、
前記景品交換装置（２００）は、所定の口座に対応付けられた金融カードとしての機能を備えた情報記録媒体（１８２）であって遊技客の有するものから読み取ったカード番号と遊技客の獲得した遊技媒体を計数した結果である景品玉数と遊技機店の識別コードとを前記決済管理装置（３１）に通知するものであり、
前記決済管理装置（３１）は、前記景品交換装置（２００）から通知された情報に基づいてカード番号別かつ識別コード別に景品玉数を記憶して管理する景品玉数管理機能と、所定のカード番号に対応する口座の資金を支出するとき、当該カード番号に対応付けて識別コード別に登録されている景品玉数を所定の優先順位に従って換金する換金機能とを有するものである
ことを特徴とする景品交換システム。
【手続補正５】
【補正対象書類名】明細書
【補正対象項目名】０００８
【補正方法】変更
【補正の内容】
【０００８】
［３］前記優先順位を遊技客毎に登録可能とした
ことを特徴とする［１］または［２］に記載の景品交換システム。
【手続補正６】
【補正対象書類名】明細書
【補正対象項目名】０００９
【補正方法】変更
【補正の内容】
【０００９】
［４］前記優先順位を、未だ資金として利用されていない遊技機店別の残り景品玉数に基づいて設定する
ことを特徴とする［１］または［２］に記載の景品交換システム。
【手続補正７】
【補正対象書類名】明細書
【補正対象項目名】００１０
【補正方法】変更
【補正の内容】
【００１０】
［５］遊技機店別に換金率を記憶しておき、
前記優先順位を、遊技機店毎の換金率に基づいて設定する
ことを特徴とする［１］または［２］に記載の景品交換システム。
【手続補正８】
【補正対象書類名】明細書
【補正対象項目名】００１１
【補正方法】変更
【補正の内容】
【００１１】
［６］前記優先順位を、景品玉数の最終加算日時に基づいて設定する
ことを特徴とする［１］または［２］に記載の景品交換システム。
【手続補正９】
【補正対象書類名】明細書
【補正対象項目名】００１２
【補正方法】変更
【補正の内容】
【００１２】
［７］前記情報記録媒体（１８２）を用いて遊技媒体を貸し出す際に、前記情報記録媒体（１８２）に対応する口座の資金に優先して前記景品玉数を使って遊技媒体を貸し出す
ことを特徴とする［１］から［６］の何れかに記載の景品交換システム。
【手続補正１０】
【補正対象書類名】明細書
【補正対象項目名】００１３
【補正方法】変更
【補正の内容】
【００１３】
［８］所定の識別コードに対応付けて登録されている景品玉数を換金した分の金額を前記識別コードに対応する遊技機店の指定口座から引き落して精算する
ことを特徴とする［１］から［７］の何れかに記載の景品交換システム。
【手続補正１１】
【補正対象書類名】明細書
【補正対象項目名】００１４
【補正方法】変更
【補正の内容】
【００１４】
［９］前記金融カードとしての機能が、利用金額を所定の口座から決済するための決済カードとしての機能であり、前記情報記録媒体（１８２）にまたはこれに対応付けて、遊技客の獲得した遊技媒体の計数結果である景品玉数を前記決済に使用し得る有価価値として利用可能に登録し、
前記決済は、即時決済または与信決済の何れか一方または双方にて決済可能である
ことを特徴とする［１］から［８］の何れかに記載の景品交換システム。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
［１０］遊技媒体の貸出情報を、第１の管理機関（２０）に通知し、
前記情報記録媒体（１８２）の利用状況を管理する第２の管理機関（３０）に前記景品玉数を通知する
ことを特徴とする［１］から［９］の何れかに記載の景品交換システム。